(57)【要約】【課題】玄関先に配置するだけで、転倒することなくしかも履物を脱いだり履いたりする際の足腰の負担を軽減できる玄関椅子を提供する。【解決手段】座板２の框側端部に手摺り４が設けられ、座板２を支持する脚部５から当該座板２の短手方向他方側へ第１の安定脚部６が延設される。【選択図】図１
2006191953.tif 000002
【特許請求の範囲】
【請求項１】
建物の玄関先に座板の短手方向一方側を壁面に近接し長手方向の一方側を框に近接して配置される玄関椅子において、
座板の框側端部に手摺りが設けられ、座板を支持する脚部から当該座板の短手方向他方側へ第１の安定脚部が延設されることを特徴とする玄関椅子。
【請求項２】
第１の安定脚部には踏み台が着脱可能に設けられることを特徴とする請求項１記載の玄関椅子。
【請求項３】
踏み台には第１の安定脚部が嵌め込まれる凹溝及び該凹溝に設けられる位置決め手段が左右対称な位置若しくは前後対称な位置に設けられることを特徴とする請求項２記載の玄関椅子。
【請求項４】
第１の安定脚部は座板を支持する脚部に回動可能に設けられることを特徴とする請求項１記載の玄関椅子。
【請求項５】
手摺りは座板の長手方向の長さと同程度の長さで当該座板を支持する脚部を兼用することを特徴とする請求項１記載の玄関椅子。
【請求項６】
座板を支持する脚部に第２の安定脚部が設けられ、該第２の安定脚部は框面に合わせた高さ位置まで移動して固定されることを特徴とする請求項１記載の玄関椅子。
【請求項７】
第２の安定脚部は、上下動及び回動可能に設けられることを特徴とする請求項６記載の玄関椅子。
【請求項８】
手摺りに座板の短手方向端に合わせた緩衝部材が突設されていることを特徴とする請求項１記載の玄関椅子。
【請求項９】
建物の玄関先に座板の短手方向一方側を壁面に近接し長手方向の一方側を框に近接して配置される玄関椅子において、
座板の框側端部には手摺りが設けられ、座板を支持する框側脚部どうしを連結する筒状の連結脚部に安定脚部が座板の短手方向他方側へ引き出し可能に収納されていることを特徴とする玄関椅子。
【請求項１０】
建物の玄関先に座板の短手方向一方側を壁面に近接し長手方向の一方側を框に近接して配置される玄関椅子において、
座板の框側端部には手摺りが設けられ、座板を支持する框側脚部にどうしを連結する連結脚部と座板との間に支柱が設けられ、該支柱に框側へ延設する安定脚部が上下動及び回動可能に設けられることを特徴とする玄関椅子。
【請求項１１】
建物の玄関先に長手方向の一方側を框に近接して配置される玄関椅子において、
座板の框側端部には手摺りが設けられ、座板を支持する框側脚部から座板の短手方向両側へ第１の安定脚部が延設され、該第１の安定脚部に踏み台が着脱可能に設けられることを特徴とする玄関椅子。
【請求項１２】
建物の玄関先に長手方向の一方側を框に近接して配置される玄関椅子において、
座板の框側端部には手摺りが設けられ、座板を支持する框側脚部に安定脚部が回動可能に各々設けられることを特徴とする玄関椅子。
【発明の詳細な説明】
【技術分野】
【０００１】
本発明は、例えば一般住宅などの建物の玄関先の土間に配置され、履物を脱いで框に上がる際に利用する玄関椅子に関する。
【背景技術】
【０００２】
急速に高齢化社会に移行しつつある我が国においては、高齢者、足腰が不自由な身障者（以下「高齢者等」という）が全体として増えており、これらの高齢者等が玄関先等で履物を履き替える場合には、立ったまま背を丸めて履物を脱いだり履いたりする動作は足腰に過度の負担がかかり、苦痛を伴う場合が多い。また、脱いだ下履きを上履きに履き替る場合には履物を収納する必要があるため更に負担が大きい。
【０００３】
かかる課題を解決するため、図１３において、玄関の土間５１から框５２にわたってベンチ５３を設けることが考えられる。高齢者の場合、手摺り５４ａに掴まりながらベンチ５３に座って履物を脱いだり、手摺り５４ｂに掴まったまま立ち上がったりすることが好ましい。この他にも、玄関先で履物を履きかえる際に利用する折り畳み椅子（特許文献１）や玄関の壁の一部に開閉可能な椅子や框下部より出し入れ可能な踏み台を設けた玄関構造（特許文献２）なども提案されている。
【特許文献１】特開２００３−２１０２８０号公報
【特許文献２】実開昭６１−７３７４７号公報
【発明の開示】
【発明が解決しようとする課題】
【０００４】
しかしながら、図１３のベンチ５３では、ベンチに座ったまま土間から両足を持ち上げなければならず、筋力の弱い高齢者には困難である。土間５１でベンチに座ったまま框５２から立ち上がる場合やベンチ５３に腰を下ろす場合には、かがんだ姿勢になるため、足腰への負担が大きい。また、ベンチ５３の短手方向端部で前かがみの姿勢で履物を脱いだり履いたりする場合、ベンチ５３のバランスが崩れて転倒するおそれがある。
また、手摺り５４ａ、５４ｂを後付けで壁面に据え付ける場合には、壁面を傷付けるおそれがあるため、設置作業を慎重に行わなければならない。一度据え付けるとその後の改変を行い難いという課題がある。
したがって、椅子に座ったまま履物を脱ぎ履きする動作が安定して行え、しかも足腰への負担の少ない椅子をいかにして玄関に配置するかが課題となる。
【０００５】
また、高齢者が履物を履きかえるたびに折り畳んだ椅子を組み立てる作業が煩わしく、作業負担は解消しない。玄関先の壁などに椅子を据え付けたり、框下部に出し入れ可能な踏み台を設けたりする場合には、玄関先のコンパクトなスペースに設置するのが困難であり、後付けするには建物の大幅な改造が必要になる。
【０００６】
本発明はこれらの課題を解決すべくなされたものであり、その目的とするところは、玄関先に配置するだけで、転倒することなくしかも履物を脱いだり履いたりする際の足腰への負担を軽減できる玄関椅子を提供することにある。
【課題を解決するための手段】
【０００７】
本発明は上記目的を達成するため、次の構成を備える。
建物の玄関先に座板の短手方向一方側を壁面に近接し長手方向の一方側を框に近接して配置される玄関椅子において、座板の框側端部に手摺りが設けられ、座板を支持する脚部から当該座板の短手方向他方側へ第１の安定脚部が延設されることを特徴とする。
また、第１の安定脚部には踏み台が着脱可能に設けられることを特徴とする。この場合、踏み台には第１の安定脚部が嵌め込まれる凹溝及び該凹溝に設けられる位置決め手段が左右対称な位置若しくは前後対称な位置に設けられることを特徴とする。
また、第１の安定脚部は座板を支持する脚部に回動可能に設けられることを特徴とする。
また、手摺りは座板の長手方向の長さと同程度の長さで当該座板を支持する脚部を兼用することを特徴とする。
また、座板を支持する脚部に第２の安定脚部が設けられ、該第２の安定脚部は框面に合わせた高さ位置まで移動して固定されることを特徴とする。
また、第２の安定脚部は、上下動及び回動可能に設けられることを特徴とする。
また、手摺りに座板の短手方向端に合わせた緩衝部材が突設されていることを特徴とする。
【０００８】
また、他例に係る玄関椅子については、建物の玄関先に座板の短手方向一方側を壁面に近接し長手方向の一方側を框に近接して配置される玄関椅子において、座板の框側端部には手摺りが設けられ、座板を支持する框側脚部どうしを連結する筒状の連結脚部に安定脚部が座板の短手方向他方側へ引き出し可能に収納されていることを特徴とする。
或いは、座板の框側端部には手摺りが設けられ、座板を支持する框側脚部どうしを連結する連結脚部と座板との間に支柱が設けられ、該支柱に框側へ延設する安定脚部が上下動及び回動可能に設けられることを特徴とする。
【０００９】
更に、他例に係る玄関椅子については、建物の玄関先に長手方向の一方側を框に近接して配置される玄関椅子において、座板の框側端部には手摺りが設けられ、座板を支持する框側脚部から座板の短手方向両側へ第１の安定脚部が延設され、該第１の安定脚部に踏み台が着脱可能に設けられることを特徴とする。
或いは、座板の框側端部には手摺りが設けられ、座板を支持する框側脚部を中心に安定脚部が回動可能に各々設けられることを特徴とする。
【発明の効果】
【００１０】
上述した玄関椅子を用いれば、座板を支持する脚部から座板の短手方向他方側へ第１の安定脚部が突設されることにより、利用者が座板に座ったまま前傾しても座板短手方向への転倒を防ぐことができる。
第１の安定脚部に踏み台が着脱可能に設けられるので、利用者は土間と框との段差を少なくし足腰への負担を軽減して履物の脱ぎ履き動作が行える。
また、踏み台には第１の安定脚部が嵌め込まれる凹溝及び該凹溝に設けられる位置決め手段が左右対称な位置若しくは前後対称な位置に設けられることにより、框に向かって椅子の配置が左右いずれに配置されても、第１の安定脚の向きに応じて框に近接して踏み台を嵌め込むことができ、踏み台の位置ずれも生じない。
手摺りは座板の長手方向の長さと同程度の長さで当該座板を支持する脚部を兼用することにより、部品点数が減らせると共に手摺りに掴まりながら立ち上がったり座ったりする際の座板長手方向の安定度が増す。
第１の安定脚部は座板を支持する脚部に回動可能に設けられることにより、必要に応じて座板下部から第１の安定脚部を座板短手方向へ任意の角度で張り出して使用できるので転倒を防ぐことができ、椅子を使用しない場合には座板下部へ収納できるので歩行の妨げになることもない。第１の安定脚部は、座板に対して１８０度反転させて組み付けることにより、椅子の配置が框に向かって左右いずれの方向にも設置できるので、使い勝手が向上する。
座板を支持する脚部に第２の安定脚部が設けられ、該第２の安定脚部は框面に合わせた高さ位置まで移動させて固定できるので、座板の長手方向への転倒を防ぐことができる。第２の安定脚部は框面に合わせた高さ位置まで移動させることができるので、設置場所に応じた框の高さ位置にあわせて設置できる。
手摺りに座板の短手方向端に合わせた緩衝部材が突設されていると、座板と手摺りを壁面に隙間なく当接させてガタが生じることなく設置できる。
【００１１】
また、座板を支持する框側脚部どうしを連結する筒状の連結脚部に安定脚部が座板の短手方向他方側へ引き出し可能に収納されていると、安定脚部を必要に応じて引き出すことにより椅子の座板短手方向の転倒を防ぐことができるうえに、椅子を使用しないときには安定脚部を連結脚部へ収納することで歩行の妨げになることはない。
また、座板を支持する框側脚部どうしを連結する連結脚部と座板との間に支柱が設けられ、該支柱に框側へ延設する安定脚部が上下動及び回動可能に設けられることにより、該安定脚部の張り出し高さ及び框側への張り出し位置を調整することで、第１、第２の安定脚部を一の安定脚部で代替することができる。
また、第１の安定脚部は、框側脚部から座板の短手方向両側へ延設されると座板の短手方向両側への転倒防止機能が高まるため、玄関椅子を壁面に突き当てて配置する必要はなくなるため、椅子配置の自由度が向上する。
或いは、座板を支持する框側脚部を中心に安定脚部が回動可能に各々設けられると、座板の長手方向及び短手方向のいずれの安定性を向上させることができ、玄関椅子を壁面に突き当てて配置する必要はなくなり椅子配置の自由度が向上するうえに、安定脚部を座板下部へ収納することで歩行の妨げになることがない。
【発明を実施するための最良の形態】
【００１２】
以下、本発明に係る玄関椅子の最良の実施形態について、添付図面を参照しながら説明する。
【００１３】
先ず、図１を参照して玄関椅子の概略構成について説明する。
図１において、玄関椅子１は利用者が座る座板２と該座板２を支持する柱状の脚部３及び手摺り４を備えている。手摺り４は座板２の框側端部にねじ止めして固定され、座板２の長手方向の長さと同程度の長さの例えばパイプ材、柱材等が用いられる。手摺り４の長さは、長すぎると利用者が掴まり立ちする際に長手方向に不安定になり、短すぎると掴まり立ちし難く利便性に欠けるため座板２と同程度の長さが好ましい。手摺り４は座板２の框側端部を支持する脚部５を兼用している。
【００１４】
この手摺り脚部５に連結して座板２の短手方向へ第１の安定脚部６が突設される。第１の安定脚部６は手摺り脚部５に例えば嵌め込みにより連結される。第１の安定脚部６には踏み台７が着脱可能に設けられる。踏み台７は裏面側に第１の安定脚部６を嵌め込むことができる嵌合溝(凹溝)８が左右２カ所に形成されている。各嵌合溝８の溝面には位置決め手段の一例である位置決めピン９が突設されている。また、第１の安定脚部６の上面には位置決め穴１０が穿設されている。踏み台７は位置決めピン９を位置決め穴１０に嵌合するように嵌合溝８に第１の安定脚部６を嵌め込んで位置ずれしないように組み付けられる。踏み台７に嵌合溝８が両側に設けられているのは手摺り４及び第１の安定脚部６を座板２に対して反対向きに（１８０度反転させて）取り付ける場合を考慮したものである。尚、踏み台７は、バリアフリーの玄関先に設置される場合には省略することができる。
【００１５】
手摺り４には座板２の短手方向端に合わせた緩衝部材１１が突設されている。これは、玄関椅子１が建物の玄関先に座板２の短手方向一方側を壁面に近接し長手方向の一方側を框に近接して配置されるため、座板２の短手方向端部に手摺り４の位置を合わせてガタつきなく配置するためである。
【００１６】
また、座板２を支持する手摺り脚部５には、第２の安定脚部１２が上下動及び回動可能に設けられる。第２の安定脚部１２は框面に合わせた高さ位置まで移動させて固定ねじ１３により固定される。固定ねじ１３を緩めることにより、手摺り脚部５に沿って上下動させることができる他、回転させることもできる。第２の安定脚部１２は、段差を解消するため先端側ほど板厚が薄いテーパー形状になっていることが望ましい。
【００１７】
図１では、手摺り４が座板２の脚部を兼用したが、図２のように、手摺り４は座板２の上面側に嵌め込んで固定され、脚部３は座板２を支持するようにしても良い。図２では脚部３として板材を用い、第１の安定脚部６は下端にねじ止め若しくは嵌め込みにより組み付けられる。また、框側脚部３の側縁部には第２の安定脚部１２が上下動可能に設けられる構成は同様である。
【００１８】
また、図３において、踏み台７の嵌合溝８は、左右のみならず前後対称に形成されていても良い。この場合、位置決め手段としての位置決めピン９も前後対称位置に形成されている。これにより、框に向かって玄関椅子１が左右いずれに配置されても、第１の安定脚６の向きに応じて框に近接して踏み台６をそのままの向きで嵌め込むことができ、踏み台７の位置ずれも生じない。
【００１９】
また、図４において、第１の安定脚部６は座板２を支持する手摺り脚部５を中心に回動可能に設けられる。この場合には、必要に応じて座板下部から第１の安定脚部６を座板短手方向へ任意の角度で張り出して使用できるので転倒を防ぐことができ、椅子を使用しない場合には座板下部へ収納できるので、歩行の妨げになることもない。
【００２０】
次に玄関椅子の配置例について図５及び図６を参照して説明する。
図５Ａは框１４に近接して手摺り４及び第１の安定脚部６を配置した場合を例示している。踏み台７は框１４に隣接して第１の安定脚部６に組み付けられる。また、第２の安定脚部１２は、框１４の高さ位置へ手摺り脚部５に沿って高さ調整されて固定されている。
利用者は、座板２に腰を下ろしたまま履物を脱ぎ、手摺り４に掴まりながら踏み台７を利用して土間１５から框１４へ上がることができる。
【００２１】
図５Ｂは、土間１５と框１４の段差がないバリアフリーの玄関に設置する場合を示す。この場合には、踏み台７は不要であるので第１の安定脚部６から取り外して使用する。また、第２の安定脚部１２は、土間１５と同じ高さ位置へ手摺り脚部５に沿って高さ調整されて固定されている。手摺り４に掴まり立ちする際に、座板２の長手方向への転倒を防ぐためである。
【００２２】
図６は玄関椅子１の配置例を示す玄関先の平面図である。土間１５には左右の壁１６に、座板２の短手方向一方側を壁面に近接し長手方向の一方側を框１４に近接して配置される。椅子１の左右の位置を入れ換える場合には、手摺り４及び第１の安定脚部６の向きを１８０度反転させて座板２に組み付けるだけで実現できる。
【００２３】
以上説明した玄関椅子１の安定性について図７を参照して検証する。図７において、土間１５から框１４に向かう方向をＸ＋、反対方向をＸ−、土間１５から壁１６に向かう方向をＹ＋、反対方向をＹ−とする。
先ず、Ｘ＋方向については、第２の安定脚部１２を脚部から框１４へ張り出させて配置することで、手摺り４に掴まりながら立ち上がったり座ったりする際の座板長手方向の安定度が増す。Ｘ−方向には、座板２の長手方向の長さが手摺り４の高さと同程度以上の長さとすることで、椅子自体の重量で座板長手方向の安定度が増す。尚、座板２の長手方向のスペ−スは荷物を置くスペ−スとして利用できる。
【００２４】
次に、Ｙ＋方向には、座板の短手方向一方側を壁１６の壁面に近接して配置されることや、手摺り４に座板２の短手方向端に合わせた緩衝部材１１を設けたり手摺り４自体に湾曲部を設けたりすることで、座板２と手摺り４を壁面に隙間なく当接させてガタが生じることなく設置できる。
最後に、Ｙ−方向には、第１の安定脚部６が座板２を支持する脚部から座板２の短手方向他方側へ張り出すことにより、利用者が座板２に座ったまま前傾しても力の作用点を第１の安定脚部６の先端側へシフトさせることにより短手方向への転倒を防ぐことができる。
【００２５】
壁１６と椅子１との隙間は、建物により必ずしも一定ではないので、緩衝部材１１の突出長を調整できるようにしても良い。図８において、手摺り４に円筒形のスペーサ１７を
嵌め込み、ロックボルト１８で適当な位置に固定する。スペーサ１７の外周面には、アジャスター１９が突設される。アジャスター１９には調整ボルト２０がねじ嵌合しており、調整ボルト２０を回すことでアジャスター１９に対する突出量を調整して、ナット２１を締め付けることで調整ボルト２０を固定するようにしても良い。これにより、手摺り４と壁１６との隙間をなくして配置できるので、Ｙ＋方向（図７参照）へのがたつきや転倒はなくなる。
【００２６】
また、図９において、椅子１を壁１６に密着して配置できない場合には、建物の玄関先に座板２の長手方向の一方側を框１４に近接して配置しても良い。この場合、Ｙ＋方向（図７参照）への安定性を考慮すると、第１の安定脚部６は、框側脚部（例えば手摺り脚部５）から座板２の短手方向両側へ張り出して設けられる。これにより座板２の短手方向両側への転倒防止機能が高まるため、建物の玄関先における椅子配置の自由度が向上する。
【００２７】
次に、玄関椅子１の他例について、図１０を参照して説明する。図１と同一部材には同一番号を付して説明を援用するものとする。この玄関椅子１は建物の玄関先に座板２の短手方向一方側を壁面に近接し長手方向の一方側を框１４に近接して配置される。座板２の框側端部には手摺り４が設けられ、手摺り脚部５どうしは筒状の連結脚部２２により連結されている。連結脚部２２には、安定脚部２３が座板２の短手方向他方側へ引き出し可能に収納されている。これにより、安定脚部２３を必要に応じて引き出すことにより座板２の短手方向の転倒を防ぐことができるうえに、椅子１を利用しないときには連結脚部２２へ安定脚部２３を収納することで歩行の妨げになることはない。
【００２８】
次に、玄関椅子１の他例について図１１を参照して説明する。図１と同一部材には同一番号を付して説明を援用するものとする。この玄関椅子１は建物の玄関先に座板２の短手方向一方側を壁面に近接し長手方向の一方側を框１４に近接して配置される。座板２の框側端部には手摺り４が設けられ、手摺り脚部５どうしは連結脚部２４により連結されている。座板２と連結脚部２４との間には支柱２５が設けられている。支柱２５には、框側へ延設する安定脚部２６が上下動及び回動可能に設けられる。安定脚部２６は框面に合わせた高さ位置まで移動させて固定ねじ２７により固定される。固定ねじ２７を緩めることにより、支柱２５に沿って上下動させることができる他、回転させることもできる。このように安定脚部２６の張り出し高さ及び框側への張り出し位置を調整することで、第１、第２の安定脚部を一の安定脚部で代替することができる。
【００２９】
次に、玄関椅子１の他例について図１２を参照して説明する。図１と同一部材には同一番号を付して説明を援用するものとする。この玄関椅子１は建物の玄関先に長手方向の一方側を框１４に近接して配置され、必ずしも椅子１を壁１６に密着して配置する必要はない。座板２の框側端部には手摺り４が設けられ、框側脚部として手摺り脚部５を兼用している。この手摺り脚部５を中心に安定脚部２８が回動可能に各々設けられる。安定脚部２８は、必要に応じて手摺り脚部５より取り外して使用できるようになっている。このように、框側脚部を中心に安定脚部２８を回動可能に設けることにより、座板２の長手方向及び短手方向のいずれの安定性を向上させることができ、玄関椅子１を壁面に突き当てて配置する必要はなくなり椅子配置の自由度が向上するうえに、椅子を使用しないときには安定脚部２８を座板下部へ収納することで歩行の妨げになることがない。
【図面の簡単な説明】
【００３０】
【図１】玄関椅子の斜視図である。
【図２】図１の他例に係る玄関椅子の斜視図である。
【図３】図１の他例に係る玄関椅子の斜視図である。
【図４】図１の他例に係る玄関椅子の斜視図である。
【図５】框との段差の有無に応じた椅子の配置例を示す説明図である。
【図６】玄関先への椅子の配置例を示す平面図である。
【図７】玄関椅子の転倒方向の検証に用いる説明図である。
【図８】アジャスターの構成を示す説明図である。
【図９】他例に係る玄関椅子の斜視図である。
【図１０】他例に係る玄関椅子の斜視図である。
【図１１】他例に係る玄関椅子の斜視図である。
【図１２】他例に係る玄関椅子の斜視図である。
【図１３】従来の玄関構造の一例を示す説明図である。
【符号の説明】
【００３１】
１  玄関椅子
２  座板
３  脚部
４  手摺り
５  手摺り脚部
６  第１の安定脚部
７  踏み台
８  嵌合溝
９  位置決めピン
１０  位置決め穴
１１  緩衝部材
１２  第２の安定脚部
１３、２７  固定ねじ
１４  框
１５  土間
１６  壁
１７  スペーサ
１８  ロックボルト
１９  アジャスター
２０  調整ボルト
２１  ナット
２２、２４  連結脚部
２３、２６、２８  安定脚部
２５  支柱 
【図１】
2006191953.tif 000003
【図２】
2006191953.tif 000004
【図３】
2006191953.tif 000005
【図４】
2006191953.tif 000006
【図５】
2006191953.tif 000007
【図６】
2006191953.tif 000008
【図７】
2006191953.tif 000009
【図８】
2006191953.tif 000010
【図９】
2006191953.tif 000011
【図１０】
2006191953.tif 000012
【図１１】
2006191953.tif 000013
【図１２】
2006191953.tif 000014
【図１３】
2006191953.tif 000015